(57)【要約】【課題】  本発明は、銀行券、パスポート、有価証券、カード、印紙類、商品タグ等の偽造防止、改竄防止が必要とされる貴重印刷物に適用する画像形成体に関するものである。【解決手段】  不透明層基材（１ａ）の一方の面に貫通する穿孔（３ａ）の配列により形成した第１の穿孔群（２ａ）からなる画像と、貫通しない穿孔（３ｂ）の配列により形成した第２の穿孔群（２ｂ）からなる潜像画像を設け、前記第２の穿孔群（２ｂ）の穿孔（３ｂ）の位置は、前記第１の穿孔群（２ａ）の穿孔（３ａ）位置を基準とし、前記基準から特定方向に配置され、且つ、前記不透明層基材（１ａ）を貫通する穿孔（３ａ）と隣接又は一部重なるように配置され、前記不透明層基材（１ａ）の他方の面に光輝性層（１ｂ）を形成する画像形成体である。【選択図】  図３
2005219296.tif 000002
【特許請求の範囲】
【請求項１】
不透明層基材の一方の面に貫通する穿孔の配列により形成した第１の穿孔群からなる画像と、貫通しない穿孔の配列により形成した第２の穿孔群からなる潜像画像を設け、
前記第２の穿孔群の穿孔の位置は、前記第１の穿孔群の穿孔位置を基準とし、前記基準から特定方向に配置され、且つ、前記不透明層基材を貫通する穿孔と隣接又は一部重なるように配置され、
前記不透明層基材の他方の面に光輝性層を形成する画像形成体。
【請求項２】
不透明層基材の一方の面に貫通する穿孔の配列により形成した第１の穿孔群からなる画像と、貫通しない穿孔の配列により形成した第２の穿孔群からなる少なくとも二つ以上の潜像画像を設け、
前記第２の穿孔群の穿孔の位置は、前記第１の穿孔群の穿孔位置を基準とし、前記基準から特定方向に配置され、且つ、前記基材を貫通する穿孔と隣接又は一部重なるように配置され、更に、前記特定方向はそれぞれの潜像画像毎に異なる方向で配置され、
前記不透明層基材の他方の面に光輝性層を形成する画像形成体。
【請求項３】
前記第２の穿孔群の穿孔は、前記第１の穿孔群の穿孔を挟むように組を成すことを含む請求項１又は２記載の画像形成体。
【請求項４】
請求項１、２又は３記載において、前記不透明層基材と前記光輝性層とが固着又は貼着により形成する画像形成体。
【発明の詳細な説明】
【技術分野】
【０００１】
本発明は、銀行券、パスポート、有価証券、カード、印紙類、商品タグ等の偽造防止、改竄防止が必要とされる貴重印刷物に適用する画像形成体に関するものである。
【背景技術】
【０００２】
銀行券、パスポート、有価証券、カード、印紙類、商品タグ等の貴重印刷物は、その性質上、偽造、変造されにくいことが要求される。この防止策として、これらの貴重印刷物の基材に、複数の穿孔で数字等を形なすることは知られている。また、複数の穿孔を有する基材を傾けて観察することにより潜像画像を視認できるようにして真偽判別を行う技術も知られている。
【０００３】
前者は、スイスの銀行券に用いられており、数字を穿孔によって表現している。また、孔の直径は、反射状態においては裸眼でそれらのなすパターンが見えない点に特徴を有する、 安全マークが、透過状態においては見える文書面のパターンを形なする複数個の孔からなる、偽造を防止するための安全マークを備える安全保管文書が開示されている（特許文献１参照）。
【特許文献１】特表２０００−５０１０３６号公報（第２頁、第１−２図）
【０００４】
後者は、基材を有し、該基材に形成され、背景部と特定のパターンから成る情報部とを形なする目視しにくい多数の微細な穿孔を有する真偽判別媒体であって、上記背景部を形なする穿孔と上記情報部を形なする穿孔とは、穿孔の形状、寸法及び配列方向の少なくとも一つ以上が異なるように形成されていることを特徴とする真偽判別形成体が開示されている（特許文献２参照）。
【特許文献２】特開２０００−２３３５６１号公報（第２頁、第１−２図）
【０００５】
また、特定のパターンで配列されて情報を付与する多数の微細穿孔が形成されたカード基材を有する微細穿孔カードであって、上記微細穿孔は、レーザ加工機により、上記カード基材に対して特定の傾斜角度で貫通して形成された穿孔であり、上記微細穿孔カードの一面側から光を上記微細穿孔カードに対して上記特定の傾斜角度と同じ角度で投光して、上記微細な穿孔を透過させることにより、上記情報がチェックされる構成であることを特徴とする微細穿孔カードが開示されている（特許文献３参照）。
【特許文献３】特開２００２−１６０４７７号公報（第２頁、第１図）
【発明の開示】
【発明が解決しようとする課題】
【０００６】
しかしながら、特表２０００−５０１０３６号公報は、穿孔によって数字等を形成しているだけであった。また、特開２０００−２３３５６１号公報は、情報部と背景部を組み合わせることで、穿孔群の中に情報部を隠し入れる構成であるため、基材を透過光で傾けて観察したときに傾ける角度を深めなければ潜像画像が明瞭に出現されない恐れがあり、複数の潜像画像を形なすることは困難であった。また、特開２００２−１６０４７７号公報は、基材に複数の穿孔からなる穿孔群を設け、穿孔群の一部の穿孔を基材に対して斜めに開けて潜像画像を構成し、基材を透過光で観察することにより潜像画像を視認できるものであり、レーザを垂直に照射し、且つ、基材を水平方向に自動搬送するような大量生産ラインを構なすることは容易であるが、基材に斜め穿孔を形なすることは、加工機の構成が複雑となり、作製上困難であった。
【０００７】
また、上記の従来技術は総じて、基材に穿孔によって数字等を形なするものや、基材に一部の穿孔の形状を異ならせて、透過光で傾けて観察した場合に潜像画像が視認されるものであった。よって、日常で真偽判別を行うにあたり、透過光での判別は可能であるが、反射光で判別することはできなかった。
【０００８】
以上のことから、本発明は前述した問題点を解決することを目的としたもので、透過光で観察することなく、反射光で観察した場合に明瞭な潜像画像の出現、多方向から異なる潜像画像の出現することを見い出した。よって、本発明は真偽判別効果の高い、改ざん、複製防止効果のある画像形成体を提案するものである。
【課題を解決するための手段】
【０００９】
本発明は、不透明層基材の一方の面に貫通する穿孔の配列により形成した第１の穿孔群からなる画像と、貫通しない穿孔の配列により形成した第２の穿孔群からなる潜像画像を設け、前記第２の穿孔群の穿孔の位置は、前記第１の穿孔群の穿孔位置を基準とし、前記基準から特定方向に配置され、且つ、前記不透明層基材を貫通する穿孔と隣接又は一部重なるように配置され、前記不透明層基材の他方の面に光輝性層を形なする画像形成体である。
【００１０】
また、本発明は、不透明層基材の一方の面に貫通する穿孔の配列により形成した第１の穿孔群からなる画像と、貫通しない穿孔の配列により形成した第２の穿孔群からなる少なくとも二つ以上の潜像画像を設け、前記第２の穿孔群の穿孔の位置は、前記第１の穿孔群の穿孔位置を基準とし、前記基準から特定方向に配置され、且つ、前記基材を貫通する穿孔と隣接又は一部重なるように配置され、更に、前記特定方向はそれぞれの潜像画像毎に異なる方向で配置され、前記不透明層基材の他方の面に光輝性層を形なする画像形成体である。
【００１１】
また、本発明は、前記第２の穿孔群の穿孔は、前記第１の穿孔群の穿孔を挟むように組をなすことを含む画像形成体である。
【００１２】
また、本発明は、前記不透明層基材と前記光輝性層とが固着又は貼着により形なする画像形成体である。
【発明の効果】
【００１３】
本発明の画像形成体は反射光で観察した場合に明瞭な潜像画像の出現、多方向から異なる潜像画像の出現がされるため、真偽判別効果の高い、改ざん、複製防止効果のある画像形成体となり得、銀行券、パスポート、有価証券、カード、印紙類等の偽造、複写、改ざんを防止する必要性のある貴重印刷物に適用することができる。デザイン上、異なる複数の観察方向により潜像画像を出現させることが可能であり、真偽判別装置等を用いることなく誰でもその場で真偽判別することができる。
【００１４】
また、本デバイスを偽造、改竄しようとした場合、基材を貫通する穿孔と基材を貫通しない穿孔の位置関係を忠実に再現する必要があり、微細な穿孔自体の再現のみならず、それらの配置までも再現することは非常に困難となる。また、固着又は貼着された不透明層基材と光輝性層を剥離すると微細な穿孔は破壊されるため、復元が不可能となる。
【００１５】
本発明の画像形成体はレーザを垂直に照射し、且つ、基材を水平方向に自動搬送するような大量生産ラインを構なする装置でも作製でき、基材に斜め穿孔を形成しなくとも潜像画像を形成できるため、複雑な加工機を用いることなく作製できる。
【発明を実施するための最良の形態】
【００１６】
本発明を実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１７】
図１に不透明層基材（１ａ）と光輝性層（１ｂ）を有する積層基材（１）に第１の穿孔群（２ａ）を穿孔（３ａ）により形成した拡大図及びそのＡ−Ａ’断面図を示す。図１に示すように穿孔（３ａ）は光輝性層（１ｂ）を貫通することなく、不透明層基材（１ａ）を貫通している必要がある。
【００１８】
図２に不透明層基材（１ａ）と光輝性層（１ｂ）を有する積層基材（１）に第２の穿孔群（２ｂ）を穿孔（３ｂ）により形成した拡大図及びそのＡ−Ａ’断面図を示す。図２に示すように穿孔（３ｂ）は不透明層基材（１ａ）を貫通することなく、一定の深さ又は複数に定められた深さに形なする必要がある。
【００１９】
図３に本発明の画像形成体（４ａ）の実施の形態を示す。不透明層基材（１ａ）と光輝性層（１ｂ）を有する積層基材（１）に図１に示した第１の穿孔群（２ａ）と図２に示した第２の穿孔群（２ｂ）を形なする。図３に示すように第２の穿孔群（２ｂ）を形なする穿孔（３ｂ）は第１の穿孔群（２ａ）を形なする穿孔（３ａ）を基準として、特定方向に規則的に配置される必要がある。この場合、第２の穿孔群（２ｂ）を形なする穿孔（３ｂ）は第１の穿孔群（２ａ）を形なする穿孔（３ａ）を基準として、左側に規則的に配置されている。また、穿孔（３ｂ）は、穿孔（３ａ）に対して隣接又は一部重なるように配置される必要がある。よって、図４に示すように、画像形成体（４ａ）の図３に示したＡ−Ａ’断面図の一部を示すと、穿孔（３ａ）のみが形成されている領域は凹部となるが、穿孔（３ａ）と穿孔（３ｂ）が形成されている領域は片側が階段状となった凹部となる。また、穿孔（３ａ）と穿孔（３ｂ）の穿孔の径は５０μｍ〜１０００μｍの範囲で形なする必要がある。
【００２０】
図５に示すように本発明の画像形成体（４ａ）を垂直方向から観察した場合、穿孔（３ｂ）は微細な径からなり、更に、不透明層基材（１ａ）を貫通していないため、不透明層基材と同色に視認され、よって、穿孔（３ｂ）で形成される第２の穿孔群（２ｂ）からなる潜像画像は肉眼で視認し難いか、もしくは、肉眼で認識することができない。また、穿孔（３ａ）は微細な径からなり、更に、反射光の影響を受け難いことから、よって、穿孔（３ａ）で形成される第１の穿孔群（２ａ）は肉眼で視認し難い状況にある。
【００２１】
図６（ａ）に示すように画像形成体（４ａ）を図７に示すＸ１方向から観察した場合、穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。穿孔（３ｂ）は、穿孔（３ａ）に対して一部が重なるか、隣接しているため、入射光が光輝性層（１ｂ）で反射され、反射光が穿孔（３ｂ）から観察者に視認される。よって、穿孔（３ａ）で形成される第１の穿孔群（２ａ）より、穿孔（３ｂ）で形成される第２の穿孔群（２ｂ）は明るく視認されるため、第２の穿孔群（２ｂ）からなる潜像画像Ｐが図７に示すように肉眼で視認される。更に、図６（ｂ）に示すように画像形成体（４ａ）を図７に示すＸ２方向から観察した場合、穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。穿孔（３ｂ）は、穿孔（３ａ）に対して一部が重なるか、隣接しているため、穿孔（３ｂ）からの入射光が光輝性層（１ｂ）で反射され、反射光が穿孔（３ａ）から観察者に視認される。よって、穿孔（３ａ）で形成される第１の穿孔群（２ａ）より、穿孔（３ｂ）で形成される第２の穿孔群（２ｂ）は明るく視認されるため、第２の穿孔群（２ｂ）からなる潜像画像Ｐが図７に示すように肉眼で視認される。
【００２２】
次に観察方向によって異なる潜像画像が視認される例を示す。例えば、下記に二つの潜像画像が視認される例を示す。図８に不透明層基材（１ａ）と光輝性層（１ｂ）を有する積層基材（１）に第１の穿孔群（２ａ）を穿孔（３ａ）により形成した拡大図及びそのＡ−Ａ’断面図を示す。図８に示すように穿孔（３ａ）は光輝性層（１ｂ）を貫通することなく、不透明層基材（１ａ）を貫通している必要がある。
【００２３】
図９に不透明層基材（１ａ）と光輝性層（１ｂ）を有する積層基材（１）に第２の穿孔群（２ｂ）を穿孔（３ｂ）により形成した拡大図及びそのＡ−Ａ’断面図を示す。図９に示すように穿孔（３ｂ）は不透明層基材（１ａ）を貫通することなく、一定の深さ又は複数に定められた深さに形なする必要がある。第２の穿孔群（２ｂ）は二つの画像（ＰとＢ）が形成されている。第２の穿孔群（２ｂ）のうち画像Ｐを第２の穿孔群（２ｂ１）とし、画像Ｂを第２の穿孔群（２ｂ２）とする。
【００２４】
図１０に本発明の画像形成体（４ｂ）の実施の形態を示す。不透明層基材（１ａ）と光輝性層（１ｂ）を有する積層基材（１）に図８に示した第１の穿孔群（２ａ）と図９に示した第２の穿孔群（２ｂ）を形なする。図１０に示すように第２の穿孔群（２ｂ）を形なする穿孔（３ｂ１、３ｂ２）は、第１の穿孔群（２ａ）を形なする穿孔（３ａ）を基準として、二つの画像毎に、特定方向に規則的に配置される必要がある。よって特定方向は二つとなり、各画像毎に異なる方向で配置される必要がある。この場合、第２の穿孔群（２ｂ１）を形なする穿孔（３ｂ１）は第１の穿孔群（２ａ）を形なする穿孔（３ａ）を基準として、左側に規則的に配置されている。また、第２の穿孔群（２ｂ２）を形なする穿孔（３ｂ２）は第１の穿孔群（２ａ）を形なする穿孔（３ａ）を基準として、上側に規則的に配置されている。また、穿孔（３ｂ１、３ｂ２）は、穿孔（３ａ）に対して隣接又は一部重なるように配置されている必要がある。よって、図１１に示すよう画像形成体（４ｂ）の図１０に示したＡ−Ａ’又はＢ−Ｂ’断面図の一部を示すと、穿孔（３ａ）のみが形成されている領域は凹部となるが、穿孔（３ａ）と穿孔（３ｂ）が形成されている領域は片側が階段状となった凹部となる。また、穿孔（３ａ）と穿孔（３ｂ）の穿孔の径は５０μｍ〜１０００μｍの範囲で形なする必要がある。
【００２５】
図１２に示すように本発明の画像形成体（４ｂ）を垂直方向から観察した場合、穿孔（３ｂ１、３ｂ２）は微細な径からなり、更に、不透明層基材（１ａ）を貫通していないため、不透明層基材と同色に視認され、よって、穿孔（３ｂ１、３ｂ２）で形成される第２の穿孔群（２ｂ）からなる潜像画像は肉眼で視認し難いか、もしくは、肉眼で認識することができない。また、穿孔（３ａ）は微細な径からなり、更に、反射光の影響を受け難いことから、よって、穿孔（３ａ）で形成される第１の穿孔群（２ａ）は肉眼で視認し難い状況にある。
【００２６】
図１３（ａ）に示すように画像形成体（４ｂ）を図１４に示すＸ１方向から観察した場合、穿孔（３ｂ２）は微細な径からなり、更に、不透明層基材（１ａ）を貫通していないため、不透明層基材と同色に視認され、よって、穿孔（３ｂ２）で形成される第２の穿孔群（２ｂ２）からなる潜像画像は肉眼で視認し難いか、肉眼で認識することができない。穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。穿孔（３ｂ）は、穿孔（３ａ）に対して一部が重なるか、隣接しているため、入射光が光輝性層（１ｂ）で反射され、反射光が穿孔（３ｂ１）から観察者に視認される。よって、穿孔（３ａ）で形成される第１の穿孔群（２ａ）より、穿孔（３ｂ１）で形成される第２の穿孔群（２ｂ）は明るく視認されるため、第２の穿孔群（２ｂ１）からなる潜像画像Ｐが図７に示すように肉眼で視認される。
【００２７】
更に、図１３（ａ）に示すように画像形成体（４ｂ）を図１４に示すＸ２方向から観察した場合、穿孔（３ｂ２）は微細な径からなり、更に、不透明層基材（１ａ）を貫通していないため、不透明層基材と同色に視認され、よって、穿孔（３ｂ２）で形成される第２の穿孔群（２ｂ２）からなる潜像画像は肉眼で視認し難いか、又は、肉眼で認識することができない。穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。穿孔（３ｂ１）は、穿孔（３ａ）に対して一部が重なるか、隣接しているため、穿孔（３ｂ１）からの入射光が光輝性層（１ｂ）で反射され、反射光が穿孔（３ａ）から観察者に視認される。よって、穿孔（３ａ）で形成される第１の穿孔群（２ａ）より、穿孔（３ｂ１）で形成される第２の穿孔群（２ｂ１）は明るく視認されるため、第２の穿孔群（２ｂ１）からなる潜像画像Ｐが図１４に示すように肉眼で視認される。
【００２８】
図１３（ｂ）に示すように画像形成体（４ｂ）を図１４に示すＹ１方向から観察した場合、穿孔（３ｂ１）は微細な径からなり、更に、不透明層基材（１ａ）を貫通していないため、不透明層基材と同色に視認され、よって、穿孔（３ｂ１）で形成される第２の穿孔群（２ｂ１）からなる潜像画像は肉眼で視認し難いか、肉眼で認識することができない。穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。穿孔（３ｂ２）は、穿孔（３ａ）に対して一部が重なるか、隣接しているため、入射光が光輝性層（１ｂ）で反射され、反射光が穿孔（３ｂ２）から観察者に視認される。よって、穿孔（３ａ）で形成される第１の穿孔群（２ａ）より、穿孔（３ｂ２）で形成される第２の穿孔群（２ｂ）は明るく視認されるため、第２の穿孔群（２ｂ２）からなる潜像画像Ｂが図１４に示すように肉眼で視認される。
【００２９】
更に、図１３（ｂ）に示すように画像形成体（４ｂ）を図１４に示すＹ２方向から観察した場合、穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。穿孔（３ｂ２）は、穿孔（３ａ）に対して一部が重なるか、隣接しているため、穿孔（３ｂ２）からの入射光が光輝性層（１ｂ）で反射され、反射光が穿孔（３ａ）から観察者に視認される。よって、穿孔（３ａ）で形成される第１の穿孔群（２ａ）より、穿孔（３ｂ２）で形成される第２の穿孔群（２ｂ２）は明るく視認されるため、第２の穿孔群（２ｂ２）からなる潜像画像Ｂが図１４に示すように肉眼で視認される。
【００３０】
次に更に好ましい実施の形態を示す。図１５に不透明層基材（１ａ）と光輝性層（１ｂ）を有する積層基材（１）に第１の穿孔群（２ａ）を穿孔（３ａ）により形成した拡大図及びそのＡ−Ａ’断面図を示す。図１５に示すように穿孔（３ａ）は光輝性層（１ｂ）を貫通することなく、不透明層基材（１ａ）を貫通している必要がある。
【００３１】
図１６に不透明層基材（１ａ）と光輝性層（１ｂ）を有する積層基材（１）に第２の穿孔群（２ｂ）を一対の穿孔（３ｂ）により形成した拡大図及びそのＡ−Ａ’断面図を示す。図１６に示すように一対の穿孔（３ｂ）は不透明層基材（１ａ）を貫通することなく、一定の深さ又は複数に定められた深さに形なする必要がある。
【００３２】
図１７に本発明の画像形成体（４ｃ）の実施の形態を示す。不透明層基材（１ａ）と光輝性層（１ｂ）を有する積層基材（１）に図１５に示した第１の穿孔群（２ａ）と図１６に示した第２の穿孔群（２ｂ）を形なする。図１７に示すように第２の穿孔群（２ｂ）は第１の穿孔群（２ａ）を形なする穿孔（３ａ）を基準として、特定方向に規則的に配置される必要がある。この場合、第２の穿孔群（２ｂ）を形なする一対の穿孔（３ｂ）は第１の穿孔群（２ａ）を形なする穿孔（３ａ）を基準として、左右に規則的に配置されている。また、第２の穿孔群（２ｂ）を形なする一対の穿孔（３ｂ）は、第１の穿孔群（２ａ）を形なする穿孔（３ａ）を基準として、その基準に対して対称に規則的に配置されることが好ましい。また、一対の穿孔（３ｂ）は、穿孔（３ａ）に対して隣接又は一部重なるように配置される必要がある。よって、図１８に示すように、画像形成体（４ｃ）の図１７に示したＡ−Ａ’断面図の一部を示すと、穿孔（３ａ）のみが形成されている領域は凹部となるが、穿孔（３ａ）と一対の穿孔（３ｂ）が形成されている領域はＴ状の凹部となる。また、穿孔（３ａ）と一対の穿孔（３ｂ）の穿孔の径は５０μｍ〜１０００μｍの範囲で形なする必要がある。
【００３３】
図１９に示すように本発明の画像形成体（４ｃ）を垂直方向から観察した場合、一対の穿孔（３ｂ）は微細な径からなり、更に、不透明層基材（１ａ）を貫通していないため、不透明層基材と同色に視認され、よって、一対の穿孔（３ｂ）で形成される第２の穿孔群（２ｂ）からなる潜像画像は肉眼で視認し難いか、もしくは、肉眼で認識することができない。また、穿孔（３ａ）は微細な径からなり、更に、反射光の影響を受け難いことから、よって、穿孔（３ａ）で形成される第１の穿孔群（２ａ）は肉眼で視認し難い状況にある。
【００３４】
図２０（ａ）に示すように画像形成体（４ｃ）を図２０（ｂ）に示すＸ１方向又はＸ２方向から観察した場合、穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。一対の穿孔（３ｂ）は、穿孔（３ａ）に対して対称に規則的に配列され、また、穿孔（３ａ）に対して一部が重なるか、隣接しているため、一対の穿孔（３ｂ’）からの入射光が光輝性層（１ｂ）で反射され、反射光が穿孔（３ａ”）から観察者に視認される。よって、穿孔（３ａ）で形成される第１の穿孔群（２ａ）より、一対の穿孔（３ｂ）で形成される第２の穿孔群（２ｂ）は明るく視認されるため、第２の穿孔群（２ｂ）からなる潜像画像Ｐが図２０（ｂ）に示すように肉眼で視認される。
【００３５】
次に観察方向によって異なる潜像画像が視認される例を示す。下記に二つの潜像画像が視認される例を示す。図２１に不透明層基材（１ａ）と光輝性層（１ｂ）を有する積層基材（１）に第１の穿孔群（２ａ）を穿孔（３ａ）により形成した拡大図及びそのＡ−Ａ’断面図を示す。図２１に示すように穿孔（３ａ）は光輝性層（１ｂ）を貫通することなく、不透明層基材（１ａ）を貫通している必要がある。
【００３６】
図２２に不透明層基材（１ａ）と光輝性層（１ｂ）を有する積層基材（１）に第２の穿孔群（２ｂ）を一対の穿孔（３ｂ）により形成した拡大図及びそのＡ−Ａ’断面図を示す。図２２に示すように一対の穿孔（３ｂ）は不透明層基材（１ａ）を貫通することなく、一定の深さ又は複数に定められた深さに形なする必要がある。第２の穿孔群（２ｂ）は二つの画像（ＰとＢ）が形成されている。第２の穿孔群（２ｂ）のうち画像Ｐを第２の穿孔群（２ｂ１）とし、画像Ｂを第２の穿孔群（２ｂ２）とする。
【００３７】
図２３に本発明の画像形成体（４ｄ）の実施の形態を示す。不透明層基材（１ａ）と光輝性層（１ｂ）を有する積層基材（１）に図２１に示した第１の穿孔群（２ａ）と図２２に示した第２の穿孔群（２ｂ）を形なする。図２３に示すように第２の穿孔群（２ｂ）の二つの画像は、第１の穿孔群（２ａ）を形なする穿孔（３ａ）を基準として、二つの画像毎に、特定方向に規則的に配置される必要がある。よって、この場合の特定方向は、二つとなり、各画像毎に異なる方向で配置される必要がある。また、第２の穿孔群（２ｂ）を形なする一対の穿孔（３ｂ１、３ｂ２）の個々の穿孔は、第１の穿孔群（２ａ）を形なする穿孔（３ａ）を基準として、その基準に対して対称に規則的に配置される必要がある。よって、第２の穿孔群（２ｂ）のうち、画像Ｐを形なする一対の穿孔（３ｂ１）は、穿孔（３ａ）に対して左右対称に配置され、第２の穿孔群（２ｂ）のうち、画像Ｂを形なする一対の穿孔（３ｂ２）は穿孔（３ａ）に対して上下対称に配置される。また、一対の穿孔（３ｂ）は、穿孔（３ａ）に対して隣接又は一部重なるように配置されている必要がある。よって、図２４に示すよう画像形成体（４ｄ）の図２３に示したＡ−Ａ’又はＢ−Ｂ’断面図の一部を示すと、穿孔（３ａ）のみが形成されている領域は凹部となるが、穿孔（３ａ）と一対の穿孔（３ｂ）が形成されている領域はＴ状の凹部となる。また、穿孔（３ａ）と一対の穿孔（３ｂ）の穿孔の径は５０μｍ〜１０００μｍの範囲で形なする必要がある。
【００３８】
図２５に示すように本発明の画像形成体（４ｄ）を垂直方向から観察した場合、一対の穿孔（３ｂ）は微細な径からなり、更に、不透明層基材（１ａ）を貫通していないため、不透明層基材と同色に視認され、よって、一対の穿孔（３ｂ）で形成される第２の穿孔群（２ｂ）からなる潜像画像は視認し難いか、もしくは、肉眼で認識することができない。また、穿孔（３ａ）は微細な径からなり、更に、反射光の影響を受け難いことから、よって、穿孔（３ａ）で形成される第１の穿孔群（２ａ）は肉眼で視認し難い状況にある。
【００３９】
図２６（ａ）に示すように画像形成体（４ｄ）をＸ１方向又はＸ２方向から観察した場合、穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。一対の穿孔（３ｂ２）はＸ方向から観察しているため、不透明層基材と同色に視認される。一対の穿孔（３ｂ１）は、穿孔（３ａ）に対して左右対称に規則的に配列され、また、穿孔（３ａ）に対して一部が重なるか、隣接しているため、一対の穿孔（３ｂ１’）からの入射光が光輝性層（１ｂ）で反射され、反射光が一対の穿孔（３ａ１”）から観察者に視認される。よって、穿孔（３ａ）で形成される第１の穿孔群（２ａ）及び一対の穿孔（３ｂ２）より、一対の穿孔（３ｂ１）で形成される第２の穿孔群（２ｂ）のうち、画像Ｐは明るく視認されるため、潜像画像Ｐが図２６（ｂ）に示すように肉眼で視認される。
【００４０】
図２７（ａ）に示すように画像形成体（４ｄ）をＹ１方向又はＹ２方向から観察した場合、穿孔（３ａ）は入射光が光輝性層（１ｂ）で反射される反射光が穿孔（３ａ）の凹部に反射され、反射光量が弱い状況になり穿孔（３ａ）で形成される第１の穿孔群（２ａ）は肉眼で暗く視認される。一対の穿孔（３ｂ１）はＹ方向から観察しているため、不透明層基材と同色に視認される。一対の穿孔（３ｂ２）は、穿孔（３ａ）に対して上下対称に規則的に配列され、また、穿孔（３ａ）に対して一部が重なるか、隣接しているため、一対の穿孔（３ｂ２’）からの入射光が光輝性層（１ｂ）で反射され、反射光が穿孔（３ａ２”）から観察者に視認される。よって、穿孔（３ａ）で形成される第１の穿孔群（２ａ）及び一対の穿孔（３ｂ１）より、一対の穿孔（３ｂ２）で形成される第２の穿孔群（２ｂ）のうち、画像Ｂは明るく視認されるため、潜像画像Ｂが図２７（ｂ）に示すように肉眼で視認される。
【００４１】
上記記載では、一対の穿孔（３ｂ）は、穿孔（３ａ）に対して上下対称又は左右対称に規則的に配置と記載しているが、本発明は一対の穿孔（３ｂ）が図２８に示すように、少なくとも二つで一組の穿孔であればよく、特に限定されるものではない。また、好ましくは、穿孔（３ａ）に対して対称に配置する必要があり、例えば、図２９に示すように本発明は、一対の穿孔（３ｂ）は、穿孔（３ａ）に対して上下対称又は左右対称に規則的に配置される。更に、一対の穿孔（３ｂ）の大きさは図３０に示すように異なっていても良い。図３０（ａ）は穿孔（３ｂ’）と穿孔（３ｂ”）の大きさは同一である。図３０（ｂ）は穿孔（３ｂ’）と穿孔（３ｂ”）の方が穿孔の大きさは小さい。図３０（ｃ）は穿孔（３ｂ’）と穿孔（３ｂ”）の方が穿孔の大きさは大きい。
【００４２】
第１の穿孔群を形なする穿孔のピッチは、Ｘ（横）方向及び／又はＹ（縦）方向において等しいピッチであることが好ましい。本発明の穿孔はレーザ穿孔装置等で付与でき、大きさは５〜１０００ミクロンが好ましい。穿孔の大きさは基材の厚みと表現したい画像の解像度や数と関係がある。当然、特定の領域に高い解像度の画像を表現する場合にはできるだけ小さな径の穿孔が必要であるが、数十ミクロン以下であると穿孔を作なする上で困難となる。また、大きな径の穿孔を用いる場合は、表現できる画像が粗いものとなってしまう。本発明の第１の穿孔群を形なする穿孔と第２の穿孔群を形なする穿孔の重なる度合いは、潜像画像を形なする穿孔の直径の０％〜７０％が好ましい。第２の穿孔群を形なする穿孔の直径は、設ける潜像画像の数と関係があり、第１の穿孔群を形なする穿孔の直径の５０％〜１００％が好ましい。
【００４３】
本発明の第１の穿孔群及び第２の穿孔群を形なする穿孔の形状は、特に限定されることはなく、円形、多角形及び特殊な形状の穿孔の少なくとも一つで形なする必要がある。多角形又は特殊な形状の穿孔を用いることによって、複製されにくくなるため偽造防止効果が向上する。また、深さ方向に伴って、穿孔の直径が同一及び穿孔の直径が小さくなる形状（切頭円錐）の少なくとも一つで形なすることによって、複製されにくくなるため偽造防止効果が向上する。穿孔が基材に対して直角及び特定の角度で斜めの形状の少なくとも一つで形なすることができる。本発明の画像を構なする穿孔及び潜像画像を構なする穿孔が、基材に対して直角及び特定の角度で斜めの形状の少なくとも一つで形なすることができる。特定の角度で斜めに形成した場合、複製されにくくなるため偽造防止効果が向上する。
【００４４】
不透明層基材と光輝性層を有する積層基材は、特に限定されることはなく、不透明層基材は、透明以外の基材であれば特に限定されることなく、紙葉類、半透明フィルム、プラスティック等を利用することができる。また、光輝性層は光を反射できる基材であれば特に限定されることはなく、アルミ箔、金属箔等を用いることができ、ホログラムを用いることで偽造防止効果が向上する。例えば、アルミ箔の場合は銀色の潜像画像が視認され、金箔の場合は金色の潜像画像が視認され、ホログラムの場合はＲＧＢの潜像画像を視認できるように構成できる。このようなことから、光輝性層に色彩を設けることによって潜像画像は色彩を有することができる。例えば、虹彩色の場合、レインボー調の潜像画像を形なすることができる。積層基材の厚さについても特に限定されることはないが、０．１ｍｍ〜１．０ｍｍ程度が好ましい。不透明層基材と光輝性層の層間は接着剤等によって接着層を設けても良い。更に、無色蛍光インキ、有色蛍光インキ、磁性インキ等を不透明層基材の表面、光輝性層の不透明層基材と接している面に印刷することによって偽造防止効果が向上する。
【００４５】
本発明の第２の穿孔群からなる少なくとも一つ以上の画像（潜像画像となる）が、文字、数字、記号及び絵柄の少なくとも１つであることにより、傾けて観察した場合に真偽判別効果が向上する。また、第１の穿孔群を文字、数字、記号及び絵柄の少なくとも１つで形なすることもできる。
【００４６】
第１の穿孔群の穿孔と隣接することがなく又は一部重なることのない不透明層基材（１ａ）を貫通することなく、一定の深さ又は複数に定められた深さの穿孔をランダムに形なすることによって、第２の穿孔群からなる少なくとも一つ以上の画像（潜像画像となる）が、垂直方向から観察した場合により視認不可能となる。よってランダムに配置された穿孔は第２の穿孔群からなる画像をカムフラージュする役割を果たす。
【実施例】
【００４７】
以下、実施例を用いて本発明を更に詳細に説明するが、本発明の内容は、これらの実施例の範囲に限定されるものではない。
【００４８】
（実施例１）
厚さ約０．１５ｍｍの紙を１枚用意し、この紙に、直径０．１ｍｍの穿孔を０．８ｍｍの一定のピッチで格子状にレーザ加工機によって紙を貫通させて図柄（Ａ）を施した。また、この紙に、直径０．１ｍｍの穿孔を０．８ｍｍの一定のピッチで、レーザ加工機によって紙を貫通させることなく一定の深さで潜像図柄（Ｂ）を施した。このとき、紙に施した潜像図柄（Ｂ）を形なする穿孔が、図柄（Ａ）の穿孔を基準として右側に規則的に配置し、更に、図柄（Ａ）の穿孔と一部重なるように配置した。次に、厚さ０．５ｍｍからなるアルミ箔を穿孔を付与した紙に貼付して画像形成体を作成した。この画像形成体を垂直方向から観察した場合には、図柄（Ａ）のみが視認され、反射光で観察した場合には、画像（Ａ）内に潜像図柄（Ｂ）が視認することができた。
【００４９】
（実施例２）
厚さ約０．１５ｍｍの紙を１枚用意し、この紙に、直径０．１ｍｍの穿孔を０．８ｍｍの一定のピッチで格子状にレーザ加工機によって紙を貫通させて図柄（Ａ）を施した。また、この紙に、直径０．１ｍｍの穿孔を０．８ｍｍの一定のピッチで、レーザ加工機によって紙を貫通させることなく一定の深さで潜像図柄（Ｂ１）、潜像図柄（Ｂ２）を施した。このとき、紙に施した潜像図柄（Ｂ１）を形なする穿孔が、図柄（Ａ）の穿孔を基準として下側に規則的に配置し、紙に施した潜像図柄（Ｂ２）を形なする穿孔が、図柄（Ａ）の穿孔を基準として左側に規則的に配置し、更に、図柄（Ａ）の穿孔と潜像図柄（Ｂ１）及び潜像図柄（Ｂ２）の穿孔が一部重なるように配置した。次に、厚さ０．５ｍｍからなるアルミ箔を穿孔を付与した紙に貼付して画像形成体を作成した。この画像形成体を垂直方向から観察した場合には、図柄（Ａ）のみが視認され、左右方向から反射光で観察した場合には、画像（Ａ）内に潜像図柄（Ｂ１）が視認することができた。更に上下方向から反射光で観察した場合には、画像（Ａ）内に潜像図柄（Ｂ２）が視認することができた。
【００５０】
（実施例３）
厚さ約０．１５ｍｍの紙を１枚用意し、この紙に、直径０．１ｍｍの穿孔を０．８ｍｍの一定のピッチで格子状にレーザ加工機によって紙を貫通させて図柄（Ａ）を施した。また、この紙に、直径０．１ｍｍの一対の穿孔を０．８ｍｍの一定のピッチで、レーザ加工機によって紙を貫通させることなく一定の深さで潜像図柄（Ｂ）を施した。このとき、紙に施した潜像図柄（Ｂ）を形なする一対の穿孔が、図柄（Ａ）の穿孔を基準として左右対称に規則的に配置し、更に、図柄（Ａ）の穿孔と一部重なるように配置した。次に、厚さ０．５ｍｍからなるアルミ箔を穿孔を付与した紙に貼付して画像形成体を作成した。この画像形成体を垂直方向から観察した場合には、図柄（Ａ）のみが視認され、反射光で観察した場合には、画像（Ａ）内に潜像図柄（Ｂ）が視認することができた。
【００５１】
（実施例４）
厚さ約０．１５ｍｍの紙を１枚用意し、この紙に、直径０．１ｍｍの穿孔を０．８ｍｍの一定のピッチで格子状にレーザ加工機によって紙を貫通させて図柄（Ａ）を施した。また、この紙に、直径０．１ｍｍの一対の穿孔を０．８ｍｍの一定のピッチで、レーザ加工機によって紙を貫通させることなく一定の深さで潜像図柄（Ｂ１）、潜像図柄（Ｂ２）を施した。このとき、紙に施した潜像図柄（Ｂ１）を形なする一対の穿孔が、図柄（Ａ）の穿孔を基準として左右対称に規則的に配置し、紙に施した潜像図柄（Ｂ２）を形なする一対の穿孔が、図柄（Ａ）の穿孔を基準として上下対称に規則的に配置し、更に、図柄（Ａ）の穿孔と潜像図柄（Ｂ１）及び潜像図柄（Ｂ２）の穿孔が一部重なるように配置した。次に、厚さ０．５ｍｍからなるアルミ箔を穿孔を付与した紙に貼付して画像形成体を作成した。この画像形成体を垂直方向から観察した場合には、図柄（Ａ）のみが視認され、左右方向から反射光で観察した場合には、画像（Ａ）内に潜像図柄（Ｂ１）が視認することができた。更に上下方向から反射光で観察した場合には、画像（Ａ）内に潜像図柄（Ｂ２）が視認することができた。
【図面の簡単な説明】
【００５２】
【図１】不透明層基材（１ａ）と光輝性層（１ｂ）を有する積層基材（１）に第１の穿孔群（２ａ）を穿孔（３ａ）により形成した拡大図及びそのＡ−Ａ’断面図である。
【図２】不透明層基材（１ａ）と光輝性層（１ｂ）を有する積層基材（１）に第２の穿孔群（２ｂ）を穿孔（３ｂ）により形成した拡大図及びそのＡ−Ａ’断面図である。
【図３】画像形成体（４ａ）の実施の形態を示す図である。
【図４】画像形成体（４ａ）のＡ−Ａ’断面図の一部拡大図である。
【図５】画像形成体（４ａ）を垂直方向から観察した場合の図である。
【図６】画像形成体（４ａ）をＸ１方向又はＸ２方向から観察した場合の原理図である。
【図７】画像形成体（４ａ）をＸ１方向又はＸ２方向から観察した場合の図である。
【図８】不透明層基材（１ａ）と光輝性層（１ｂ）を有する積層基材（１）に第１の穿孔群（２ａ）を穿孔（３ａ）により形成した拡大図及びそのＡ−Ａ’断面図である。
【図９】不透明層基材（１ａ）と光輝性層（１ｂ）を有する積層基材（１）に第２の穿孔群（２ｂ）を穿孔（３ｂ）により形成した拡大図及びそのＡ−Ａ’断面図である。
【図１０】画像形成体（４ｂ）の実施の形態を示す図である。
【図１１】画像形成体（４ｂ）のＡ−Ａ’断面図又はＢ−Ｂ’断面図の一部拡大図である。
【図１２】画像形成体（４ｂ）を垂直方向から観察した場合の図である。
【図１３】画像形成体（４ｂ）をＸ１方向、Ｘ２方向、Ｙ１方向又はＹ２方向から観察した場合の原理図である。
【図１４】画像形成体（４ｂ）をＸ１方向、Ｘ２方向、Ｙ１方向又はＹ２方向から観察した場合の図である。
【図１５】不透明層基材（１ａ）と光輝性層（１ｂ）を有する積層基材（１）に第１の穿孔群（２ａ）を穿孔（３ａ）により形成した拡大図及びそのＡ−Ａ’断面図である。
【図１６】不透明層基材（１ａ）と光輝性層（１ｂ）を有する積層基材（１）に第２の穿孔群（２ｂ）を一対の穿孔（３ｂ）により形成した拡大図及びそのＡ−Ａ’断面図である。
【図１７】画像形成体（４ｃ）の実施の形態を示す図である。
【図１８】画像形成体（４ｃ）のＡ−Ａ’断面図の一部拡大図である。
【図１９】本発明の画像形成体（４ｃ）を垂直方向から観察した場合の図である。
【図２０】画像形成体（４ｃ）をＸ方向又はＸ２方向から観察した場合の図である。
【図２１】不透明層基材（１ａ）と光輝性層（１ｂ）を有する積層基材（１）に第１の穿孔群（２ａ）を穿孔（３ａ）により形成した拡大図及びそのＡ−Ａ’断面図を示す図である。
【図２２】不透明層基材（１ａ）と光輝性層（１ｂ）を有する積層基材（１）に第２の穿孔群（２ｂ）を一対の穿孔（３ｂ）により形成した拡大図及びそのＡ−Ａ’断面図を示す図である。
【図２３】画像形成体（４ｄ）の実施の形態を示す図である。
【図２４】画像形成体（４ｄ）のＡ−Ａ’断面図又はＢ−Ｂ’断面図の一部拡大図である。
【図２５】画像形成体（４ｄ）を垂直方向から観察した場合の図である。
【図２６】画像形成体（４ｄ）をＸ１方向又はＸ２方向から観察した場合の図である。
【図２７】画像形成体（４ｄ）をＹ１方向又はＹ２方向から観察した場合の図である。
【図２８】一対の穿孔（３ｂ）についてのその他の例を示す図である。
【図２９】穿孔（３ａ）と穿孔（３ｂ）の関係を示す図である。
【図３０】穿孔（３ｂ’）と穿孔（３ｂ”）の関係を示す図である。
【符号の説明】
【００５３】
１ａ          不透明層基材
１ｂ          光輝性層
１          積層基材
２ａ          第１の穿孔群
２ｂ          第２の穿孔群
２ｂ１          画像Ｐを第２の穿孔群
２ｂ２          画像Ｂを第２の穿孔群
３ａ          穿孔
３ｂ          穿孔、一対の穿孔
３ｂ’          入射光からの穿孔
３ｂ”          反射光からの穿孔
３ｂ１          画像Ｐを形なする一対の穿孔
３ｂ２          画像Ｂを形なする一対の穿孔
３ｂ１’          入射光からの穿孔
３ｂ１”          反射光からの穿孔
４ａ、４ｂ、４ｃ、４ｄ          画像形成体
【図１】
2005219296.tif 000003
【図２】
2005219296.tif 000004
【図３】
2005219296.tif 000005
【図４】
2005219296.tif 000006
【図５】
2005219296.tif 000007
【図６】
2005219296.tif 000008
【図７】
2005219296.tif 000009
【図８】
2005219296.tif 000010
【図９】
2005219296.tif 000011
【図１０】
2005219296.tif 000012
【図１１】
2005219296.tif 000013
【図１２】
2005219296.tif 000014
【図１３】
2005219296.tif 000015
【図１４】
2005219296.tif 000016
【図１５】
2005219296.tif 000017
【図１６】
2005219296.tif 000018
【図１７】
2005219296.tif 000019
【図１８】
2005219296.tif 000020
【図１９】
2005219296.tif 000021
【図２０】
2005219296.tif 000022
【図２１】
2005219296.tif 000023
【図２２】
2005219296.tif 000024
【図２３】
2005219296.tif 000025
【図２４】
2005219296.tif 000026
【図２５】
2005219296.tif 000027
【図２６】
2005219296.tif 000028
【図２７】
2005219296.tif 000029
【図２８】
2005219296.tif 000030
【図２９】
2005219296.tif 000031
【図３０】
2005219296.tif 000032